(57)【特許請求の範囲】
【請求項１】
湯沸しおよび保温用の内容器と、該内容器内の湯温を所定の目標保温温度に設定する保温温度設定手段と、保温時において上記内容器を加熱する保温加熱手段と、上記内容器の底部を介して上記内容器内の湯温を検出する湯温検出手段と、保温時において上記湯温検出手段で検出された内容器内の湯温を表示する湯温表示手段と、上記湯温検出手段で検出される上記内容器内の湯温が、上記保温温度設定手段で設定された保温温度となるように、上記保温加熱手段をＯＮ，ＯＦＦ制御する保温加熱制御手段とを備えてなる電気ポットであって、沸騰完了直後の上記保温加熱制御手段の上記設定保温温度に対応した加熱出力制御の開始に応じ、同加熱出力制御の開始から所定時間が経過した後に、上記湯温表示手段が上記設定保温温度を表示するようになっていることを特徴とする電気ポット。
【請求項２】
上記加熱出力制御を開始してからの所定時間は、上記内容器内の湯の温度が上記加熱出力制御を開始してから設定保温温度に達するまでの予め測定記憶されている時間であることを特徴とする請求項１記載の電気ポット。
【請求項３】
湯沸しおよび保温用の内容器と、該内容器内の湯温を所定の目標保温温度に設定する保温温度設定手段と、保温時において上記内容器を加熱する保温加熱手段と、上記内容器の底部を介して上記内容器内の湯温を検出する湯温検出手段と、保温時において上記湯温検出手段で検出された内容器内の湯温を表示する湯温表示手段と、上記湯温検出手段で検出される上記内容器内の湯温が、上記保温温度設定手段で設定された保温温度となるように、上記保温加熱手段をＯＮ，ＯＦＦ制御する保温加熱制御手段とを備えてなる電気ポットであって、沸騰完了直後の上記保温加熱制御手段の上記設定保温温度に対応した加熱出力制御の開始に応じ、同加熱出力制御を開始してからの上記保温加熱手段のＯＮ回数が所定の回数に達したときに、上記湯温表示手段が上記設定保温温度を表示するようになっていることを特徴とする電気ポット。
【請求項４】
上記保温加熱手段の所定のＯＮ回数は、上記内容器内の湯の温度が上記加熱出力制御を開始してから設定保温温度に達するまでの予め測定記憶されているＯＮ回数であることを特徴とする請求項３記載の電気ポット。
【請求項５】
湯沸しおよび保温用の内容器と、該内容器内の湯温を所定の目標保温温度に設定する保温温度設定手段と、保温時において上記内容器を加熱する保温加熱手段と、上記内容器の底部を介して上記内容器内の湯温を検出する湯温検出手段と、保温時において上記湯温検出手段で検出された内容器内の湯温を表示する湯温表示手段と、上記湯温検出手段で検出される上記内容器内の湯温が、上記保温温度設定手段で設定された保温温度となるように、上記保温加熱手段をＯＮ，ＯＦＦ制御する保温加熱制御手段とを備えてなる電気ポットであって、沸騰完了後上記保温加熱制御手段の上記設定保温温度に対応した加熱出力の制御が開始されるまでの間は、上記湯温表示手段により湯温を表示するための設定基準温度幅を所定値低く変更して湯温を表示する一方、上記保温加熱制御手段による保温加熱手段のＯＮ，ＯＦＦ制御が始まると、上記低く設定した設定基準温度幅を元の設定基準温度幅に戻すようにしたことを特徴とする電気ポット。
【発明の詳細な説明】
【０００２】
【発明の属する技術分野】
【０００３】
本願発明は、湯温表示機能を備えて、保温時の湯温を表示するようにした電気ポットに関するものである。
【従来の技術】
【０００４】
最近の電気ポットでは湯温表示機能を備え、特に保温中における湯温を湯温表示部に表示するようにしたものがある。
【０００５】
該構成の電気ポットは、例えば湯沸しを終えてブザーによる「沸とう報知」を行った後に、湯沸ヒータをＯＦＦにして保温状態に移行し、以後は保温ヒータを制御してユーザーにより設定された所定の設定保温温度（例えばカップ麺等用高温保温温度９８℃、コーヒー、紅茶等用低温保温温度９０℃、緑茶用低温保温温度６０℃など）に維持するようになっている。
【０００６】
そして、上記湯温の検出には、一般に電気ポット本体の内容器の底部裏面側に設けられた底センサ（サーミスタ）が使用され、内容器底面の温度を湯温として間接的に検出するようになっている。
【発明が解決しようとする課題】
【０００７】
ところが、同構成の場合、次のような構造的な事情があり、沸とう完了後、次第に低下して行く内容器内の実際の湯温よりも低い温度値が、実際の温度低下よりも早いタイミングで表示されてしまう問題がある。そのために、ユーザーに対して違和感を抱かせたり、例えば内容器を真空２重壁構造のものとした魔法瓶タイプのものの場合の省エネ性能を疑わせる原因ともなっている。
【０００８】
すなわち、保温ヒータがＯＮ，ＯＦＦ制御されていない時の内容器内の湯の温度分布は、対流により上部側が高く、底部側が低くなり、それらの間には相当の温度差が生じる（例えば図１において最上部側満水位ＷＬ2部分の湯温Ｔ2が９０℃の場合、中間位ＷＬ1部分の湯温Ｔ1が９０℃、底部の湯温Ｔ0が８５℃となる）。
【０００９】
また、魔法瓶タイプの場合、内容器底面は加熱面であるため、２重壁構造となっていない。そのため、同部分の温度は余計に低下しやすい。
【００１０】
これらの事情にも拘わらず、上記底センサは同低温部分の温度を内容器内の湯温として検出してしまう。
【００１１】
本願発明は、以上のような問題を解決するためになされたもので、上述のような湯温検出手段の湯温検出誤差に拘わらず、適正な湯温を適切なタイミングで表示できるようにした電気ポットを提供することを目的とするものである。
【課題を解決するための手段】
【００１２】
本願発明は、上記の目的を達成するために、次のような課題解決手段を備えて構成されている。
【００１３】
（１）  請求項１の発明
この発明の電気ポットは、湯沸しおよび保温用の内容器と、該内容器内の湯温を所定の目標保温温度に設定する保温温度設定手段と、保温時において上記内容器を加熱する保温加熱手段と、上記内容器の底部を介して上記内容器内の湯温を検出する湯温検出手段と、保温時において上記湯温検出手段で検出された内容器内の湯温を表示する湯温表示手段と、上記湯温検出手段で検出される上記内容器内の湯温が、上記保温温度設定手段で設定された保温温度となるように、上記保温加熱手段をＯＮ，ＯＦＦ制御する保温加熱制御手段とを備えてなる電気ポットであって、沸騰完了直後の上記保温加熱制御手段の上記設定保温温度に対応した加熱出力制御の開始に応じ、同加熱出力制御の開始から所定時間が経過した後に、上記湯温表示手段が上記設定保温温度を表示する一方、上記保温加熱手段による保温加熱手段のＯＮ，ＯＦＦ制御が始まると、上記低く設定した設定基準温度幅を元の設定基準温度幅に戻すようになっていることを特徴としている。
先にも述べたように、内容器の底部を介して内容器内の湯温を検出する上記湯温検出手段の検出値は、実際の湯温よりも低い値を示す。そのため、沸騰完了後の保温加熱制御手段による保温加熱手段のＯＮ，ＯＦＦ制御も、実際の湯温が設定保温温度に対応して保温加熱を必要とする温度になるよりも所定時間早く始まり、少なくとも設定保温温度になるまで継続される。
【００１４】
したがって、沸騰完了直後の上記保温加熱制御手段の上記設定保温温度に対応した加熱出力制御の開始に応じ、同加熱出力制御の開始から上記設定保温温度になるまでの所定時間が経過した後に、上記湯温表示手段が上記設定保温温度を表示するようにすれば、設定保温温度および内容器内の実際の湯温変化に対応した適切な湯温の表示が適切なタイミングで行えるようになり、ユーザーに対して与える違和感を解消することができ、また保温性能の信頼性を確保することもできるようになる。
【００１５】
（２）  請求項２の発明
この発明の電気ポットは、上記請求項１の発明の構成において、上記加熱出力制御を開始してからの所定時間は、上記内容器内の湯の温度が上記加熱出力制御を開始してから設定保温温度に達するまでの予め測定記憶されている時間であることを特徴としている。
【００１６】
したがって、同時間が経過した時点で、上記設定保温温度に対応した湯温を表示するようにすれば、必然的に実際の湯温と対応したものとなり、適正な湯温を適切なタイミングで表示することができる。
【００１７】
（３）  請求項３の発明
この発明の電気ポットは、湯沸しおよび保温用の内容器と、該内容器内の湯温を所定の目標保温温度に設定する保温温度設定手段と、保温時において上記内容器を加熱する保温加熱手段と、上記内容器の底部を介して上記内容器内の湯温を検出する湯温検出手段と、保温時において上記湯温検出手段で検出された内容器内の湯温を表示する湯温表示手段と、上記湯温検出手段で検出される上記内容器内の湯温が、上記保温温度設定手段で設定された保温温度となるように、上記保温加熱手段をＯＮ，ＯＦＦ制御する保温加熱制御手段とを備えてなる電気ポットであって、沸騰完了直後の上記保温加熱制御手段の上記設定保温温度に対応した加熱出力制御の開始に応じ、同加熱出力制御を開始してからの上記保温加熱手段のＯＮ回数が所定の回数に達したときに、上記湯温表示手段が上記設定保温温度を表示するようになっていることを特徴としている。
【００１８】
先にも述べたように、内容器の底部を介して内容器内の湯温を検出する上記湯温検出手段の検出値は、実際の湯温よりも低い値を示す。そのため、沸騰完了後の保温加熱制御手段による保温加熱手段のＯＮ，ＯＦＦ制御も、実際の湯温が設定保温温度に対応して保温加熱を必要とする温度になるよりも早く始まり、少なくとも設定保温温度になるまで継続される。
【００１９】
したがって、沸騰完了直後の上記保温加熱制御手段の上記設定保温温度に対応した加熱出力制御の開始に応じ、同加熱出力制御を開始してからの上記保温加熱手段のＯＮ回数が所定の回数に達したときに、上記湯温表示手段が上記設定保温温度を表示するようにすれば、設定保温温度および内容器内の実際の湯温変化に対応した適切な湯温の表示が適切なタイミングで行えるようになり、ユーザーに対して与える違和感を解消することができ、また保温性能の信頼性を確保することもできるようになる。
【００２０】
（４）  請求項４の発明
この発明の電気ポットは、上記請求項３の発明の構成において、上記保温加熱手段の所定のＯＮ回数は、上記内容器内の湯の温度が上記加熱出力制御を開始してから設定保温温度に達するまでの予め測定記憶されているＯＮ回数であることを特徴としている。
【００２１】
したがって、同時間が経過した時点で、上記設定保温温度に対応した湯温を表示するようにすれば、必然的に実際の湯温と対応したものとなり、適正な湯温を適切なタイミングで表示することができる。
【００２２】
（５）  請求項５の発明
この発明の電気ポットは、湯沸しおよび保温用の内容器と、該内容器内の湯温を所定の目標保温温度に設定する保温温度設定手段と、保温時において上記内容器を加熱する保温加熱手段と、上記内容器の底部を介して上記内容器内の湯温を検出する湯温検出手段と、保温時において上記湯温検出手段で検出された内容器内の湯温を表示する湯温表示手段と、上記湯温検出手段で検出される上記内容器内の湯温が、上記保温温度設定手段で設定された保温温度となるように、上記保温加熱手段をＯＮ，ＯＦＦ制御する保温加熱制御手段とを備えてなる電気ポットであって、沸騰完了後上記保温加熱制御手段の上記設定保温温度に対応した加熱出力の制御が開始されるまでの間は、上記湯温表示手段により湯温を表示するための設定基準温度幅を所定値低く変更して湯温を表示する一方、上記保温加熱制御手段による保温加熱手段のＯＮ，ＯＦＦ制御が始まると、上記低く設定した設定基準温度幅を元の設定基準温度幅に戻すようにしたことを特徴としている。
【００２３】
先にも述べたように、内容器の底部を介して内容器内の湯温を検出する上記湯温検出手段の検出値は、実際の湯温よりも低い値を示す。そのため、例えば上記所定の設定保温温度に対応した湯温を表示するに際して、その基準温度幅への到達も早くなり、実際には上記設定保温温度に未だ到達していないにも拘わらず到達したとして湯温表示してしまう。
【００２４】
一方、上記沸騰完了直後の保温加熱制御手段による保温加熱手段のＯＮ，ＯＦＦ制御も実際の湯温が設定保温温度に対応して保温加熱を必要とする温度になるよりも早く始まるが、例えば同制御が始まると内容器内の湯が撹拌されて湯温が均一になり、湯温検出手段の検出湯温も適正になる。
【００２５】
そこで、上記保温加熱制御手段の上記設定保温温度に対応した加熱出力の制御が開始されるまでの間は、上記のように上記湯温表示手段により上記設定保温温度に対応した湯温を表示するための設定基準温度幅を所定値低く変更して、検出湯温の値に関係なく、可能な限り実際の湯温に近くなるようにして湯温を表示するようにする。
【００２６】
一方、保温加熱制御手段による保温加熱手段のＯＮ，ＯＦＦ制御が始まると、内容器内の湯が撹拌されて湯温が均一になり、湯温検出手段の検出湯温も適正になる。
【００２７】
そこで、保温加熱制御手段の上記設定保温温度に対応した保温加熱手段のＯＮ，ＯＦＦ制御が始まると、上記所定値低く変更した上記設定保温温度に対応した湯温を表示するための設定基準温度幅を元に戻し、検出湯温の値に基いて表示することにより、可能な限り実際の湯温に近い状態で湯温を表示する。
【発明の効果】
【００２８】
以上の結果、本願発明の電気ポットによると、設定保温温度および内容器内の実際の湯温変化に対応した適切な湯温の表示が適切なタイミングで行えるようになり、ユーザーに対して与える違和感を解消することができ、また保温性能の信頼性を確保することもできるようになる。
【発明の実施の形態】
【００２９】
以下、添付の図面を参照して、先ず本願発明の電気ポットの後に述べる各実施の形態に共通な電気ポット本体部および制御装置部の構成と作用について説明する。
【００３０】
（電気ポット本体部の構成）
図１ないし図３には、後述する本願発明の各実施の形態に共通な電気ポットの本体および要部の構成が示されている。
【００３１】
この電気ポットは、先ず図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ給湯するための給湯通路５と、該給湯通路５の途中に設けられた実流量計測用の流量センサ８０と、ＡＣ電源が接続されている状態において上記給湯通路５を介して上記内容器３内の湯を外部に送り出す電動給湯ポンプ６と、ＡＣ電源が接続されていない状態において上記給湯通路５を介して内容器３内の湯を外部に送り出すエア式の手動給湯ポンプ１８とを備えて構成されている。
【００３２】
上記容器本体１は、外側面部を構成する合成樹脂製の筒状の外ケース７と、内側面部を構成する上記内容器３と、上記外ケース７と内容器３とを上部側で一体に結合固定する合成樹脂製の環状の肩部材８と、底面部を構成する合成樹脂製の皿状の底部材９とからなっている。
【００３３】
上記内容器３は、ステンレス製の有底円筒形状の内筒１０と同じくステンレス製の円筒形状の外筒１１との間に真空断熱空間を設けた保温性能の高い真空二重構造体からなっており、その底部には、外周部を除いて上記内筒１０の底面部のみにより構成された１枚板部３ａが形成されている。該１枚板部３ａは若干上方に高く突出して成形されていて、その下面側には、上記湯沸しヒータ４Ａと保温ヒータ４Ｂ（例えば雲母板にワット数の異なる２組の発熱体を保持させたマイカヒータよりなる）が取り付けられている。
【００３４】
上記内容器３の上端部には、上記内筒１０側の上端部を中心軸方向に向けて絞り加工したヒートキープ構造の小径の給水口３ｂが形成されている。また符号１２は、上記内容器３の温度（換言すれば、内容器３内の湯の温度）を検出する湯温検出手段として作用する底センサ（湯温センサ）であり、サーミスタよりなっている。さらに、符号１３は上記内容器３の満水位ＷＬ2を表示する凸状の満水位表示部である。また、ＷＬ1は低水位（１／２水位）を示している。
【００３５】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００３６】
この蓋体２には、ＡＣ電源が接続されていない状態でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００３７】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００３８】
上記給湯通路５の上流端側である上記内容器３の下部位置には、内容器３側湯導入筒６ａ、給湯ポンプ側湯吸入口６ｂを介して直流型の電動給湯ポンプ６が配設されており、この給湯通路５においては上記湯導入筒６ａを介して湯吸入口６ｂより吸入された湯が当該電動給湯ポンプ６のポンピング作用により、その吐出口６ｃから吐出され、同給湯通路５の直管部５ｂを経て、上記流量センサ８０内の流量検出通路を通り、転倒止水弁側連結パイプ５ｃから外部への湯注出口５ｄに導かれる。
【００３９】
さらに、符号３５は、後述する各種スイッチ類の操作面や液晶表示部の表示面を備えた操作パネル部、５１ａは、マイコン制御部６０や各種スイッチ類３８〜４１，４２，４３、液晶表示装置（駆動部）等を備えたマイコン基板、５１は、液晶表示部４７の支持部材、５０は、上記電動給湯ポンプ６の駆動回路や湯沸しヒータ４Ａ、保温ヒータ４Ｂの加熱制御回路、安定化直流電源回路等を備えた電源基板である。
【００４０】
上記操作パネル部３５には、給湯スイッチ３８、給湯ロック解除スイッチ３９、再沸騰／保温選択スイッチ４０、おやすみタイマースイッチ４１、定量給湯モード選択時における給湯量設定用アップダウンスイッチ４２，４３、再沸騰表示用ＬＥＤ４４、保温動作表示用ＬＥＤ４５、給湯ロック解除表示用ＬＥＤ４６、液晶表示部４７等が設けられている。
【００４１】
上記液晶表示部４７には、例えば時刻／時間／湯温／作動状態等兼用表示部４７ａ、保温設定温度表示部４７ｂ、まほうびん保温表示部４７ｃが設けられており、各種の便利な情報表示がなされるようになっている。
【００４２】
この電動給湯型の電気ポットは、上記給湯スイッチ３８を押し続ける限り、連続的に上記電動給湯ポンプ６を駆動して湯を注出できる連続給湯モードと、給湯スイッチ３８を押し続けても、予めアップダウンスイッチ４２，４３で設定した所定量の湯を注出すると上記電動給湯ポンプ６が停止する定量給湯モードとの２種の給湯モードを備えて構成されている。
【００４３】
そして、それに使用される流量センサ８０は、例えば回転支軸８１の外周に筒状のハブを介して螺旋状の回転スクリュー羽根８２を遊嵌し、それらを給湯通路５の直管部５ｂの上端に嵌合筒８３を介して嵌合固定して構成されている。
【００４４】
（制御回路部の構成）
次に図３は、上記構成の電気ポット本体における制御回路部の構成を示すブロック図である。
【００４５】
図３中、符号５７は例えば平滑コンデンサおよび電源ＩＣよりなり、マイコン制御部６０および加熱制御部５４、ポンプ電源部５９等に直流電源を供給する直流安定化電源部、また５４は湯沸しヒータ４Ａおよび保温ヒータ４ＢのＯＮ，ＯＦＦ制御用の加熱制御部、４Ａ，４Ｂは上述した湯沸しヒータ４Ａおよび保温ヒータ４Ｂよりなる加熱手段、５９は上記電動給湯ポンプ６のポンプ電源部、３８は上述の給湯スイッチ、５８は上記電動給湯ポンプ６のモータ部に対して駆動用のパルス電圧を供給して駆動するパルス駆動部、６は上述の直流型の電動給湯ポンプである。
【００４６】
上記湯沸しヒータ４Ａは、例えば上記マイコン制御部６０から、上記加熱制御部５４に湯沸しヒータＯＮ信号が出力されると、例えば図示しないトランジスタを介して電源リレーを作動させ、それに対応して電源スイッチがＯＮになることにより、駆動される。
【００４７】
また、上記保温ヒータ４Ｂは、上記マイコン制御部６０から、上記加熱制御部５４に保温ヒータＯＮ信号が出力されると、例えば図示しないトランジスタがＯＮになることにより、トライアックを駆動させて駆動される。
【００４８】
また、上記マイコン制御部６０には、さらに液晶表示部４７、再沸騰表示用ＬＥＤ４４、保温動作表示用ＬＥＤ４５、給湯ロック解除表示用ＬＥＤ４６等の各種ＬＥＤ表示部や給湯スイッチ３８、再沸騰／保温選択スイッチ４０、給湯ロック解除スイッチ３９、おやすみタイマースイッチ４１等の各種操作部や底センサ（サーミスタ）よりなる湯温度検知手段１２、流量センサよりなる流量検知手段８０などの各種センサー部等が、各々図示しない入出力ポートを介して接続されている。
【００４９】
そして、以上の電気ポットでは、湯沸時には上記湯沸しヒータ４Ａを使用して高加熱出力で速やかに沸とう状態まで加熱した後に、ブザー音による沸とう報知（湯沸し完了報知）を行って湯沸しヒータ４ＡをＯＦＦにし、その後、保温工程に移行する。
【００５０】
そして、保温工程では、実際の湯温が上記マイコン制御部６０を中心とする保温温度設定手段によって設定された第１又は第２の設定保温温度９８℃，９０℃に対応した温度になると、上記液晶表示部４７の湯温表示部に対応する湯温を表示するが、本実施の形態の場合、上述のように内容器３が保温性能の高い真空２重構造の魔法瓶タイプとなっているので、例えば上記低温側第２の設定保温温度９０℃が選択された場合、沸とう完了時の温度１００℃から設定保温温度９０℃までの湯温の低下には相当の時間がかかる（例えば２時間程度）。
【００５１】
したがって、それまで湯温を表示できないとなると、ユーザーは不安になる。
【００５２】
一方、だからと言って湯沸し完了後、そのまま湯温検出手段１２の検出値に基いた湯温表示を行うと、当該湯温検出手段１２を構成している底センサが検出する湯温Ｔ0は、図１からも明らかなように、実際の湯温Ｔ1，Ｔ2よりも所定温度ΔＴだけ低くなることに起因して、例えば４０〜５０分で９０℃の表示を出してしまい、ユーザーに対して違和感を与えるとともに保温性能に疑念を抱かせる。
【００５３】
そこで、これに対し、本願では、以下の各実施の形態に示すような適切な対応を採っている。
【００５４】
なお、上記設定保温温度９０℃の湯温表示は、所定の設定基準温度幅を有して表示されるようになっており、例えば同基準温度幅は、上限温度９２．５℃〜下限温度８７．５℃に設定されている。したがって、上記湯温検出手段１２の検出温度が、この範囲にくると、全て９０℃と表示する。
【００５５】
（実施の形態１に係る保温中の湯温表示制御）
先ず、図４は、上記のように構成された電気ポット本体に適用される本願発明の実施の形態１に係る電気ポットの保温中における湯温表示制御の内容を示すフローチャート、図５は同フローに対応するタイムチャートを各々示している。
【００５６】
今、上述の問題に対応するに際し、先ず上記内容器３内の実際の湯温Ｔの変化（１００℃〜９０℃への低下）と保温ヒータ４ＢのＯＮ，ＯＦＦ制御（加熱出力制御）との関係を見ると、例えば図５のようになっている。
【００５７】
つまり、保温ヒータ４Ｂは、実際に内容器３内の湯温ＴがＴ（Ｔ1，Ｔ2）＝９０℃になるよりも所定時間ｔｎ前にＯＮ，ＯＦＦ制御（加熱制御）を開始するようになっている。その理由は、すでに述べたように、上記底センサよりなる湯温検出手段１２が、実際の湯温Ｔ（Ｔ1，Ｔ2）よりも低い温度Ｔ0を湯温Ｔとして検出することに基く。
【００５８】
そこで、この関係を利用すると、実際の湯温Ｔが９０℃に達する時点を上記所定時間ｔｎに基いて予め予測することができ、その時点（ｔｎ経過時点）で９０℃の表示を行えば良いことになる。
【００５９】
図４に示す本実施の形態の湯温表示制御は、このような観点から構成されている。
【００６０】
すなわち、先ず上述のように湯沸しヒータ４Ａによる湯沸しが行われ、やがて沸とう状態になると（ステップＳ1）、上述した「沸とう報知」が行われる。
【００６１】
そこで、次に同沸とう報知が行われたか否かを判定する（ステップＳ2）。
【００６２】
その結果、ＹＥＳの時は、先ず上述の湯沸しヒータ４ＡをＯＦＦにして保温工程に移行する（ステップＳ3）。そして、続いて現在設定されている目標とする設定保温温度が沸とう温度１００℃よりも１０℃低い低温側温度９０℃であるか否かを判定する（ステップＳ4）。
【００６３】
その結果、ＮＯの時（高温側９８℃の時）は通常の保温温度表示制御を行うが、ＹＥＳの時は、さらに現在の湯温Ｔが９０℃保温制御状態において保温ヒータ４ＢをＯＮ制御することが必要な下限側しきい値温度Ｔａ℃（例えばＴａ＝８９．５℃）以下に低下しているか否かを判定する（ステップＳ5）。
【００６４】
その結果、ＮＯの時は同判定状態を継続しながら魔法瓶保温を続けるが、他方ＹＥＳになると、先ず上述の保温ヒータ４ＢのＯＮ，ＯＦＦ制御を開始（ステップＳ6）すると同時に上記９０℃に対応した所要経時時間ｔｎ計時タイマーｔのタイマー動作をスタートさせる（ステップＳ7）。
【００６５】
その後、同時間ｔｎが経過してタイマーｔのタイマー動作がタイムアップしたか否かを判定する（ステップＳ8）。その結果、ＹＥＳになると、図５から明らかなように、それは実際の湯温Ｔが９０℃になったことを示すから、最終的に上記液晶表示部４７の保温温度表示部に９０℃の表示を行って制御を終える。
【００６６】
以上のように、本実施の形態の構成では、湯沸し完了後、目標保温温度９０℃まで低下させて保温維持するに際し、湯温検出手段１２を構成している底センサが検出する湯温Ｔ0は、実際の湯温Ｔよりも所定温度ΔＴだけ低くなることに起因する問題を、それに対応して実際の９０℃よりも高い時点から保温ヒータ４ＢのＯＮ，ＯＦＦ制御が開始される点に着目し、同保温ヒータ４ＢのＯＮ，ＯＦＦ制御開始から実際の湯温Ｔが９０℃に低下するまでの所要時間ｔｎを予め測定記憶して置き、それを基に同時間ｔｎが経過した時点で保温温度９０℃の表示を行うようになっている。
【００６７】
したがって、実際の湯温に対応した適切な湯温を適切なタイミングで表示できるようになり、ユーザーに対する違和感を解消することができる。
【００６８】
（実施の形態２に係る保温中の湯温表示制御）
次に、図６は、上述のように構成された電気ポット本体に適用される本願発明の実施の形態２に係る電気ポットの保温中の湯温表示制御のフローチャート、図７は同湯温表示制御のフローに対応するタイムチャートを各々示している。
【００６９】
今、上記実施の形態１の場合と同様に前述の問題に対応するに際し、先ず上記内容器３内の実際の湯温Ｔの変化（１００℃〜９０℃への低下）と上記保温ヒータ４ＢのＯＮ，ＯＦＦ制御との関係は、例えば図７のようになっている。
【００７０】
つまり、保温ヒータ４Ｂは、実際に内容器３内の湯温ＴがＴ＝９０℃になるよりも所定時間ｔｎ前にＯＮ，ＯＦＦ制御（加熱制御）を開始するようになっている。その理由は、すでに述べたように、上記底センサよりなる湯温検出手段１２が、実際の湯温よりも低い温度を湯温として検出することに基く。
【００７１】
そこで、この関係を利用すると、実際の湯温Ｔが９０℃に達する時点を、予め保温ヒータ４ＢのＯＮ回数Ｎをカウントすることにより、予測することができ、図７に示すように、その時点（Ｎｓ回カウント時点）で９０℃の表示を行えば良いことになる。
【００７２】
図６に示す本実施の形態の保温中の湯温表示制御は、このような観点から構成されている。
【００７３】
すなわち、先ず上述のように湯沸しヒータ４Ａによる湯沸しが行われ、やがて沸とう状態になると（ステップＳ1）、上述した沸とう報知が行われる。
【００７４】
そこで、次に同沸とう報知が行われたか否かを判定する（ステップＳ2）。
【００７５】
その結果、ＹＥＳの時は、先ず上述の湯沸しヒータ４ＡをＯＦＦにして保温工程に移行する（ステップＳ3）。そして、続いて目標とする設定保温温度が低温用の温度９０℃であるか否かを判定する（ステップＳ4）。
【００７６】
その結果、ＮＯの時（高温用９８℃の時）は通常の保温温度表示制御を行うが、ＹＥＳの時は、さらに現在の湯温Ｔが９０℃保温制御において保温ヒータ４ＢをＯＮ制御することが必要な上記下限側しきい値温度Ｔａ℃（例えばＴａ＝８９．５℃）以下に低下しているか否かを判定する（ステップＳ5）。
【００７７】
その結果、ＮＯの時は、さらに上限側しきい値温度Ｔｂ℃（例えばＴｂ＝９０．５℃）以上となっているか否かを判定し（ステップＳ6）、ＹＥＳの時は保温ヒータ４ＢをＯＦＦにして湯温Ｔを低下させる（ステップＳ7）。そして、このようにして下限／上限の同判定状態を継続しながら魔法瓶保温を続ける。上記ステップＳ5の下限側しきい値判定で他方ＹＥＳになると、上述の保温ヒータ４ＢのＯＮ，ＯＦＦ制御を開始（ステップＳ8）すると同時に、同時点から実際の湯温Ｔが９０℃になるまでの保温ヒータ４ＢのＯＮ回数のカウント動作をスタートさせる（ステップＳ9）。
【００７８】
その後、同保温ヒータのＯＮカウント数が９０℃になるに必要な設定回数Ｎｓとなったか否かを判定する（ステップＳ10）。その結果、ＹＥＳになると、図７から明らかなように、それは実際の湯温Ｔが９０℃になったことを示すから、このタイミングで最終的に上記液晶表示部４７の保温温度表示部に９０℃の表示を行って制御を終える。
【００７９】
以上のように、本実施の形態の構成では、湯沸し完了後、目標保温温度９０℃まで低下させて保温維持するに際し、湯温検出手段１２を構成している底センサが検出する湯温Ｔ0は、実際の湯温Ｔよりも所定温度ΔＴだけ低くなることに起因する問題を、それに対応して実際には９０℃よりも高い時点から保温ヒータ４ＢのＯＮ，ＯＦＦ制御が開始される点に着目し、同保温ヒータ４ＢのＯＮ，ＯＦＦ制御開始から実際の湯温Ｔが９０℃に低下するまでに必要な保温ヒータ４ＢのＯＮ（又はＯＦＦ）回数をカウントし、同カウント値が予め測定記憶されている図７のＮｓ回に達した時点で保温温度９０℃の表示を行うようになっている。
【００８０】
したがって、実際の湯温に対応した適切な湯温を適切なタイミングで表示できるようになり、ユーザーに対する違和感を解消することができる。
【００８１】
特に上記の保温ヒータ４ＢのＯＮ回数Ｎｓは、当然その時の湯量に対応したものとなっているので、同構成の場合には別に湯量判定を必要とせず、より最適なものとなる。
【００８２】
（実施の形態３）
上述のように、上記底センサよりなる湯温検出手段１２は、実際の湯温Ｔ（Ｔ1，Ｔ2）よりも低い温度Ｔ0を湯温として検出する。
【００８３】
そこで、本実施の形態では、それに対応し、例えば上述の湯温を表示するための上記基準温度幅（上限側および下限側しきい値）９２．５℃〜８７．５℃を、保温ヒータ４ＢのＯＮ，ＯＦＦ制御が開始されるまでの間は、９０℃〜８５℃と低く変更するようにする。
【００８４】
このような構成にすれば、実際の湯温に近くなるまで表示がのび、簡単な構成で、略同様の適切なタイミングで適切な保温温度の表示が可能となる。
【００８５】
なお、この場合、一旦適切な９０℃の表示が行われた後の基準温度幅（上／下限側しきい値）は元に戻すようにする。
【００８６】
また、上記基準温度幅（上／下限側しきい値）の変更は、湯量判定手段を設けて、該湯量判定手段により判定された湯量に応じて行うようにしても良い。
【００８７】
さらに、同湯量判定手段は、湯沸し開始時の温度上昇率＋ΔＴ％、保温工程移行後の温度低下率−ΔＴ％等を用いることにより、容易に湯量を判定することができる。
【００８８】
（実施の形態４）
上述のように、上記内容器３内の実際の湯温Ｔの変化（１００℃〜９０℃までへの低下）と上記保温ヒータ４ＢのＯＮ，ＯＦＦ制御との関係は、例えば図５および図７のようになっている。
【００８９】
つまり、保温ヒータ４Ｂは、実際に内容器３内の湯温ＴがＴ＝９０℃になるよりも所定時間ｔｎ前にＯＮ，ＯＦＦ制御（加熱制御）を開始する。その理由は、すでに述べたように、上記底センサよりなる湯温検出手段１２が、実際の湯温ＴＴ（Ｔ1，Ｔ2）よりも低い温度Ｔ0を湯温として検出することに基く。
【００９０】
そこで、本実施の形態では、以上の各実施の形態と異なり、例えば上述の湯温検出手段１２の検出値に対し、予め湯量と温度幅毎に計測記憶させてある誤差補正値を加算して適正な検出値に補正するようにする。
【００９１】
このような構成にすれば、簡単な構成で、より適切なタイミングで、より適正な保温温度の表示が可能となる。
【００９２】
（その他の実施の形態）
以上の各構成において、実際の湯温と検出湯温の差を解消するためには、さらに次のような構成も必要に応じて採用される。
【００９３】
（１）  室温センサを設け、外気温による補正を行う。
【００９４】
（２）  沸騰後保温工程移行時の湯温降下時に、湯沸しヒータ４Ａ又は保温ヒータ４Ｂを短時間ＯＮし、内容器３を加熱することにより内容器３内の湯に対流を発生させ、内容器３内上下方向の湯温の均一化を図る。
【００９５】
（３）  湯温降下中に電動給湯ポンプ６を駆動させ、内容器３内上下方向の湯温の均一化を図る。
【図面の簡単な説明】
【００９６】
【図１】  本願発明の各実施の形態に共通な電気ポット本体部分の構成を示す右側方から見た中央縦断面図である。
【図２】  同電気ポット本体部分の平面図である。
【図３】  同電気ポット本体部分の制御ブロック回路図である。
【図４】  本願発明の実施の形態１に係る保温中の湯温表示制御の内容を示すフローチャートである。
【図５】  同湯温表示制御の内容を示すタイムチャートである。
【図６】  本願発明の実施の形態２に係る保温中の湯温表示制御の内容を示すフローチャートである。
【図７】  同湯温表示制御の内容を示すタイムチャートである。
【符号の説明】
【００９７】
１は容器本体、２は蓋体、３は内容器、４Ａは湯沸しヒータ、４Ｂは保温ヒータ、５は給湯通路、６は電動給湯ポンプ、７は外ケース、１０内筒、１１は外筒、１２は底センサ、１８は手動給湯ポンプ、４７は液晶表示部、４７ｂは保温設定温度表示部、６０はマイコン制御部、８０は流量センサである。
【図１】
0003661618.tif 000002
【図２】
0003661618.tif 000003
【図３】
0003661618.tif 000004
【図４】
0003661618.tif 000005
【図５】
0003661618.tif 000006
【図６】
0003661618.tif 000007
【図７】
0003661618.tif 000008